(57)【特許請求の範囲】
【請求項１】
一端縁間に所定の間隔を有する側板部を備えたベース部材と、該側板部間に挿入される挿入部及び該挿入部に延設された突出部を有するように加工された板状部材からなり、該挿入部を前記ベース部材の側板部間に挿入することによりプラスチックフィルムを挟持する押さえ部材と、を有するプラスチックフィルムの止め材に装着される、該プラスチックフィルムの外面に掛け回される温室用ハウスバンドの留め具であって、
弾性線材を平面からみて略弓形に屈曲して形成されると共に、該略弓形に曲げ加工された弓形線部の一端に形成され、前記押さえ部材を構成する挿入部と突出部の裏面側において、一方の突出部の裏面に当接する第１の当接部と、前記弓形線部の他端に形成され、同じく一方の突出部の裏面に当接する第２の当接部と、該第２の当接部から、前記押さえ部材を構成する挿入部を形成する側板のうち、前記第１及び第２の当接部が当接する突出部に対向する側の他方の側板方向に延びると共に、平面からみて弓形線部を通過する仮想平面に対し、下方に屈曲するように加工され、該他方の側板の裏面に当接する第３の当接部を備えた延長部と、前記第１の当接部に延設されたバンド係留部と、を有することを特徴とする温室用ハウスバンドの留め具。
【請求項２】
請求項１記載の温室用ハウスバンドの留め具であって、前記バンド係留部が、第１の当接部から螺旋状に屈曲させて設けられていることを特徴とする温室用ハウスバンドの留め具。
【発明の詳細な説明】
【０００１】
【発明の属する技術分野】
本発明は、温室の被覆材であるプラスチックフィルムのばたつき防止のため、該プラスチックフィルムの外面に掛け回されるハウスバンドの留め具に関する。
【０００２】
【従来の技術】
温室の被覆材であるプラスチックフィルムは、適宜間隔をおいて止め材により固定されているが、この止め材と止め材の間のばたつきを抑えるため、プラスチックフィルムの外面にハウスバンドを掛け回すのが通常であり、このハウスバンドの端部を固定するために、種々の留め具が提案されている。
【０００３】
例えば、図８及び図９に示したように、実公平４−１０７６３号公報には、平面から見て全体が略台形状に屈曲形成され、基部１０１を止め材１１０の一方の側面１１１に当接させ、脚部１０２，１０３を他方の側面１１２に当接させると共に、該脚部１０２，１０３の一方の端部１０４がプラスチックフィルムの止め材１１０の他方の側面１１２を乗り越えるようにかつ屈曲させて形成され、この端部１０４にハウスバンド１２０を固定する弾性線材からなる留め具１００が知られている。
【０００４】
【発明が解決しようとする課題】
上記した留め具１００は、ハウスバンド１２０を固定する一方で、止め材１１０との間にプラスチックフィルム１３０を挟持するものである。ところで、近年、耐候性に優れ、燃やしても有害ガスが発生せず廃棄処理が容易なことからプラスチックフィルムとしてはポリオレフィン系のプラスチックフィルムが普及しているが、このプラスチックフィルムはビニルフィルムに比べて擦れに弱いという問題がある。このため、上記した留め具１００を用いてこのプラスチックフィルムを挟持したのでは、接触面積が小さいため、局部的に摩耗することによる破れが生じ易い。
【０００５】
このため、本出願人は、先に、特願平１０−１０６１２２号や特願平１０−１０６１４８号において、一端縁間に所定の間隔を有する側板部を備えたベース部材と、該側板部間に挿入される挿入部及び該挿入部に延設された突出部を有するように加工された板状部材からなり、該挿入部を前記ベース部材の側板部間に挿入することによりプラスチックフィルムを挟持する押さえ部材と、を有するプラスチックフィルムの止め材を提案している。ベース部材と押さえ部材の挿入部との間にプラスチックフィルムを挟持するため、接触面積が大きく、プラスチックフィルムの局部的な摩耗を防止できるという利点を有する。
【０００６】
この止め材において、上記した留め具１００を配設する場合、押さえ部材を構成する対向する突出部の裏面間に配設することになるが、この突出部は互いに対向方向（内方）に曲成された半径の小さな断面半円形に形成されている。一方、図８及び図９に示した留め具１００自体は上記したように略台形状に屈曲形成されているため、対向する小さな半円形の突出部に対し、略台形状の上底側（基部１０１）で１カ所、下底側（脚部１０２，１０３）で２カ所を挿入しなければならず、その作業が非常に面倒である。このような留め具１００は、通常、温室の長手方向に沿って約５０ｃｍおきに設置されるが、温室の長さが約５０ｍある場合には、一方の側面だけで約１００個配設しなければならず、その作業は困難であった。従って、配設作業を少しでも容易化できる留め具の開発が望まれていた。
【０００７】
本発明は上記事情に鑑みなされたものであり、ポリオレフィン系のプラスチックフィルム用として適する止め材に対して容易に取り付けることができる留め具を提供することを課題とする。
【０００８】
【課題を解決するための手段】
上記した課題を解決するため、請求項１記載の本発明の温室用ハウスバンドの留め具は、一端縁間に所定の間隔を有する側板部を備えたベース部材と、該側板部間に挿入される挿入部及び該挿入部に延設された突出部を有するように加工された板状部材からなり、該挿入部を前記ベース部材の側板部間に挿入することによりプラスチックフィルムを挟持する押さえ部材と、を有するプラスチックフィルムの止め材に装着される、該プラスチックフィルムの外面に掛け回される温室用ハウスバンドの留め具であって、
弾性線材を平面からみて略弓形に屈曲して形成されると共に、該略弓形に曲げ加工された弓形線部の一端に形成され、前記押さえ部材を構成する挿入部と突出部の裏面側において、一方の突出部の裏面に当接する第１の当接部と、前記弓形線部の他端に形成され、同じく一方の突出部の裏面に当接する第２の当接部と、該第２の当接部から、前記押さえ部材を構成する挿入部を形成する側板のうち、前記第１及び第２の当接部が当接する突出部に対向する側の他方の側板方向に延びると共に、平面からみて弓形線部を通過する仮想平面に対し、下方に屈曲するように加工され、該他方の側板の裏面に当接する第３の当接部を備えた延長部と、前記第１の当接部に延設されたバンド係留部と、を有することを特徴とする。
【０００９】
請求項２記載の本発明の温室用ハウスバンドの留め具は、請求項１記載の温室用ハウスバンドの留め具であって、前記バンド係留部が、第１の当接部から螺旋状に屈曲させて設けられていることを特徴とする。
【００１０】
【発明の実施の形態】
以下、図面に示した実施の形態に基づき本発明をさらに詳細に説明する。図１〜図４は、本発明の一の実施の形態にかかる温室用ハウスバンドの留め具１を示す図である。
【００１１】
この留め具１は、弾性線材を屈曲形成してなり、図２に示したように、平面からみて中央部が一方側にせり出した略弓形に屈曲形成した弓形線部１１を備えている。そして、この弓形線部１１の一端１１ａが後述の止め材の突出部の裏面に当接する第１の当接部となり、他端１１ｂが同じく止め材の突出部の裏面に当接する第２の当接部となる。
【００１２】
第１の当接部である弓形線部１１の一端１１ａに延設された弾性線材の部位は、螺旋状に曲げ加工された螺旋状屈曲部１２を形成しており、この屈曲部１２は、その間隙からハウスバンドが挿入されることにより、該ハウスバンドを係留するバンド係留部として機能する。
【００１３】
一方、上記した第２の当接部である弓形線部１１の他端１１ｂに延設された弾性線材の部位は、弓形線部１１に対して、該弓形線部１１のせり出した方向に略直角に屈曲した第１屈曲部１３ａと、該第１屈曲部１３ａからさらに弓形線部１１と略平行となるように略直角に屈曲した第２屈曲部１３ｂと、弓形線部１１、第１屈曲部１３ａ及び第２屈曲部１３ｂを通過する仮想平面に対し、下方に向けて第２屈曲部１３ｂから屈曲させた第３屈曲部１３ｃとを有する延長部１３が連接されるように加工されている。本実施の形態では第３屈曲部１３ｃを円弧状に曲げ加工しているが、これに限定されるものではなく、直線状であってもよい。
【００１４】
ここで、第３屈曲部１３ｃは、止め材の挿入部の側板のうち、上記した第１の当接部である一端１１ａと第２の当接部である他端１１ｂとが配設される突出部と反対側に位置する側板の裏面に接するように配設され、第３屈曲部１３ｃは、第３の当接部を構成する。従って、本実施の形態に係る留め具１を止め材に装着した際には、第２の当接部である弓形線部１１の他端１１ｂが、止め材の挿入部を構成する一方の側板部に延設された突出部の裏面に当接し、第３の当接部である第３屈曲部１３ｃが、該挿入部を構成する他方の側板部に当接するように設けられるため、弓形線部１１の他端１１ｂから第３屈曲部１３ｃまでの距離Ｄ（図２参照）が、それぞれが当接する止め材の部位間の距離とほぼ同じかそれよりもやや長い程度となるような位置関係で形成されている。
【００１５】
次に、本実施の形態の留め具１を装着するプラスチックフィルムの止め材について図５及び図６に基づき説明する。この止め材は、ベース部材２、第１の押さえ部材３、及び第２の押さえ部材４を有して構成されている。
【００１６】
ベース部材２は、所定の長さを有し、底板部２１、該底板部２１の各側縁から該底板部２１となす内角が鋭角となるように立ち上げられた側板部２２，２３を有している。この側板部２２，２３は、さらに、上端縁２２ａ，２３ａ間に所定の間隔を保持するように立ち上げられている。すなわち、ベース部材２は、断面でみると底板部２１を底辺とする略三角形をなしているが、頂部付近が切り取られているような形状である。また、本実施の形態では、底板部２１の上面に、幅方向に所定間隔をおいて長手方向に沿って２つの突条部２１ａ，２１ｂが形成されている。さらに、側板部２２，２３の上端縁２２ａ，２３ａも、長手方向に沿って膨出するように形成されている。なお、突条部２１ａ，２１ｂ及び上端縁２２ａ，２３ａのいずれもプラスチックフィルムを損傷しないよう先端面は丸く加工されている。また、ベース部材２は、側板部２２，２３の上端縁２２ａ，２３ａ間の対向間隔よりも、該上端縁２２ａ，２３ａの下部に裾広がりのテーパ部位が形成され、該テーパ部位間の対向間隔が上端縁２２ａ，２３ａ間の対向間隔より広ければよく、本実施の形態のように、必ずしも側板部２２，２３の全体がテーパ状である必要はない。
【００１７】
第１の押さえ部材３は、ベース部材２とほぼ同じ長さを有し、断面略半円形の挿入部３１と、該挿入部３１のいずれかの上端縁から一旦内方に屈曲させた後外方に伸びる突出片３２とを有して構成されている。挿入部３１は、ベース部材２の底板部２１と２つの側板部２２，２３との間に囲まれた空間内に収容される程度の大きさで形成され、その頂部３１ｃがベース部材２の２つの突条部２１ａ，２１ｂ間に位置するように、かつ突出片３２が側板部２２，２３の上端縁２２ａ，２３ａのいずれか一方を乗り越えるように配設される。
【００１８】
挿入部３１のうち、突出片３２が連設されていない側の上端縁は第１の係合部３１ａとして機能し、一旦内方に屈曲して突出片３２が連設されている他方の上端縁は第２の係合部３１ｂとして機能する。また、第１の係合部３１ａと第２の係合部３１ｂとの外面間の間隔は、ベース部材２の側板部２２，２３の上端縁２２ａ，２３ａ間の間隔よりも僅かに広くなるように形成されている。その結果、底板部２１に対して直交する方向に真っ直ぐ引き上げた場合には第１の係合部３１ａと第２の係合部３１ｂが、それぞれ２つの側板部２２，２３の内面に当接して係合する。その一方、突出片３２が浮き上がるように傾斜させて引き上げた場合には、他方の側板部２３の内面に第２の係合部３１ｂが係合せずに上端縁２２ａ，２３ａの間隙から抜け出ることができるが、これと逆方向に傾斜させようとすると、突出片３２が他方の側板部２３の上端縁に接触してその動きが規制され、第１の係合部３１ａは、一方の側板部２２の内面に当接して係合する。
【００１９】
第２の押さえ部材４は、第１の押さえ部材３の挿入部３１を上記したように断面略半円形とすることにより裏面側に形成される凹部３５内に収まる程度の大きさの断面略円弧状の挿入部４１を有している。そして、該挿入部４１の一方の上端縁が第１の係合部４１ａとして機能し、他方の上端縁が第２の係合部４１ｂとして機能する。なお、第１の係合部４１ａと第２の係合部４１ｂの外面間の間隔は、後述のようにして第１の押さえ部材３の凹部３５内に挿入した際、ベース部材２の底板部２１に直交する方向に真っ直ぐ引き上げた場合に、第１の係合部４１ａと第２の係合部４１ｂが、凹部３５の内面に相当する第１の押さえ部材３の第１の係合部３１ａと第２の係合部３１ｂの各内面に当接して係合するが、傾斜して引き上げられた場合には、該凹部３５内から離脱できる程度の間隔で形成されている。また、挿入部４１の他方の上端縁である第２の係合部４１ｂには、一旦内方に屈曲した後、上方に立ち上がり、その後、略水平に外側に屈曲されている突出片４２が連設されている。
【００２０】
第２の押さえ部材４は、プラスチックフィルムを介して、その第１の係合部４１ａが、第１の押さえ部材３の凹部３５内で該第１の押さえ部材３の第２の係合部３１ｂと同側部に位置するように、かつ、突出片４２の水平部分が、第１の押さえ部材３における第１の係合部３１ａ側に位置してベース部材２の一方の側板部２２の上端縁を乗り越えるように配設される（図６参照）。この結果、第１の係合部４１ａが押し上げられる方向に傾斜した場合には、第１の係合部４１ａが、凹部３５の内面、具体的には第１の押さえ部材３における第２の係合部３１ｂの内面にプラスチックフィルムを介して当接して係合する。逆方向、すなわち、第２の係合部４１ｂが押し上げられる方向に傾斜した場合には、突出片４２の傾斜範囲が規制されないため、第２の係合部４１ｂは、第１の押さえ部材３の凹部３５内面にプラスチックフィルムを介して接触しつつも係合せずに、凹部３５内から離脱する。
【００２１】
また、第１の押さえ部材３の突出片３２を内方に屈曲した突出部３２ａを有する形状に形成し、第２の押さえ部材４の突出片４２を同じく内方に屈曲した突出部４２ａを有する形状に形成している。
【００２２】
本実施の形態によれば、まず、止め材を構成するベース部材２を温室の側面にに沿って配設する。次に、一方のプラスチックフィルムＡの一端縁付近を温室の天井面と側面との境界部に固定し、他端縁付近をベース部材２の側板部２２，２３の開口部上に位置させる。次に、第１の押さえ部材３の第２の係合部３１ｂ及び突出片３２が、該一方のプラスチックフィルムＡの他端縁側となるように位置させて、底板部２１と側板部２２，２３とにより形成される空間に挿入部３１を挿入する。このとき、第１の押さえ部材３の第２の係合部３１ｂとベース部材２の他方の側板部２３との間からはみ出ている部分は、風等の影響を受けないよう、その部分の面積はできるだけ小さくするように留意する。この結果、該一方のプラスチックフィルムＡがばたついた場合、第１の押さえ部材３の第１の係合部３１ａ側が押し上げられるような力（図５の右向きの矢印方向の力）が作用するが、第１の係合部３１ａは、ベース部材２の一方の側板部２２に当接して係合するため、該一方のプラスチックフィルムＡの固定は解除されない。
【００２３】
次に、他方のプラスチックフィルムＢの一端縁付近を第１の押さえ部材３における凹部３５上に位置させる。そして、第２の押さえ部材４の第１の係合部４１ａが第１の押さえ部材３における第２の係合部３１ｂ側に位置するようにして、他方のプラスチックフィルムＢの一端縁付近を押さえつけるように、該凹部３５内に挿入する。なお、このとき、第２の押さえ部材４の第２の係合部４１ｂと凹部３５との隙間からはみ出る部分の面積ができるだけ小さくなるように留意する。他方のプラスチックフィルムＢの他端縁は、温室天井面に上記止め材と平行に配設される別の止め材（図示せず）に、さらに別のプラスチックフィルム（図示せず）の一端縁付近と共に固定する。この結果、他方のプラスチックフィルムＢが風等によりばたついた場合、第２の押さえ部材４の第１の係合部４１ａ側が押し上げられるような力（図５の左向きの矢印方向の力）が作用するが、該第１の係合部４１ａは凹部３５の内面である第１の押さえ部材３における第２の係合部３１ｂの内面に当接して係合するため、該他方のプラスチックフィルムＢの挟持状態が保持される。
【００２４】
次に、かかる状態で、本実施の形態に係る留め具１を配設する。図６及び図７に基づき説明する。まず、作業者が、弓形線部１１の一端１１ａ付近を把持して、第３屈曲部１３ｃを、第１の押さえ部材３の挿入部３１の側板、すなわち、頂部３１ｃから突出片３２までの間の部位の裏面に接するように、かつ、第２屈曲部１３ｂが第１の押さえ部材３の長手方向とほぼ並行となるように、該挿入部３１の裏面側に差し込む。このとき、第２の当接部となる弓形線部１１の他端１１ｂが、上記の第１の押さえ部材３の挿入部３１の側板に対向するように位置している第２の押さえ部材４の突出片４２の底面４２ｂ上に接するように位置させておく。そして、第３の当接部となる第３屈曲部１３ｃを挿入部３１の側板の裏面に当接させた状態で、該第３屈曲部１３ｃを支点とするように、弓形線部１１の一端１１ａ側を時計回りに回動させる。
【００２５】
これにより、第２の当接部となる弓形線部１１の他端１１ｂが第２の押さえ部材４の突出片４２の突出部４２ａの裏面内に挿入される。弓形線部１１の一端１１ａ側をさらに時計回りに回動させると、上記したように、弓形線部１１の他端１１ｂから第３屈曲部１３ｃまでの距離Ｄ（図２参照）が、それぞれが当接する止め材の部位間の距離とほぼ同じかそれよりもやや長い程度となるような位置関係で形成されているため、突出片４２とこれに対向する第１の押さえ部材３の挿入部３１の側板を、それぞれ外方に押圧するようになる。
【００２６】
従って、この時点で、弓形線部１１の他端１１ｂと第３屈曲部１３ｃが所定の部位に当接することになるため、弓形線部１１の一端１１ａ側をさらに時計回りに回動させようとする場合には、弓形線部１１の弾性力に抗して、該弓形線部１１を多少変形させるような力を加える必要があるが、この際には、弓形線部１１の他端１１ｂと第３屈曲部１３ｃとが支点となるため、てこの原理により、比較的容易に弓形線部１１を変形させることができる。弓形線部１１を変形させるように弓形線部１１の一端１１ａ側をさらに時計回りに回し、第１の当接部となる該一端１１ａの位置が、第２の押さえ部材４上において、突出片４２を乗り越える位置に至ったならば、第２の押さえ部材４の挿入部方向へ押さえ込むようにして、加えていた力を解除すると、弓形線部１１の弾性復帰力により、第１の当接部となる一端１１ａが、突出片４２の突出部４２ａの裏面内に挿入配置される。
【００２７】
このようにして、留め具１を配設したならば、バンド係留部である螺旋状屈曲部１２にハウスバンド（図示せず）の端部を引っかけ縛り付けるなどして固定する。
【００２８】
本実施の形態に係る留め具１によれば、第３の当接部である第３屈曲部１３ｃは、突出片３２を構成する突出部３２ａと比べて開口幅の広い挿入部の裏面側に挿入すればよいため、この挿入操作が容易で、かつ、その後は、この弓形線部１１の他端側に位置している第３屈曲部１３ｃを支点として回動させると共に、てこの原理により容易に第２の当接部である弓形線部１１の他端１１ｂと第１の当接部である弓形線部１１の一端１１ａを対向する突出片４２の突出部４２ａ裏面に挿入することができる。これに対し、従来の台形状の留め具によれば、中央に位置する基部を一方の突出片に挿入した後、他の部位を他方の突出片に挿入しなければならないため、一方の端部を把持して回動させても、てこの中心になるのが他端ではなく、中央部であり、大きさがほぼ同じとすると、てこの原理の効率のよい利用ができず、より多大な力を必要とすると共に、すべての当接部位を挿入部に比べて開口幅の狭い突出片内に挿入しなければならないため、本実施の形態に係る留め具１と比較して作業が困難である。
【００２９】
【発明の効果】
本発明の温室用ハウスバンドの留め具によれば、弾性線材を平面からみて略弓形に屈曲して形成されると共に、該略弓形に曲げ加工された弓形線部の一端に形成され、止め材押さえ部材を構成する挿入部と突出部の裏面側において、一方の突出部の裏面に当接する第１の当接部と、前記弓形線部の他端に形成され、同じく一方の突出部の裏面に当接する第２の当接部と、該第２の当接部から、前記押さえ部材を構成する挿入部を形成する側板のうち、前記第１及び第２の当接部が当接する突出部に対向する側の他方の側板方向に延びると共に、平面からみて弓形線部を通過する仮想平面に対し、下方に屈曲するように加工され、該他方の側板の裏面に当接する第３の当接部を備えた延長部とを有している。従って、第３の当接部を、止め材において、突出片と比べて開口幅の広い挿入部の裏面側に挿入し、その後は、第３の当接部を支点として弓形線部の一端側を把持して回動させれば、てこの原理により容易に第２の当接部と第１の当接部を対向する突出片の裏面に挿入し、装着することができる。
【図面の簡単な説明】
【図１】図１は、本発明の一の実施の形態に係る温室用ハウスバンドの留め具を示す斜視図である。
【図２】図２は、本発明の一の実施の形態に係る温室用ハウスバンドの留め具を示す平面図である。
【図３】図３は、本発明の一の実施の形態に係る温室用ハウスバンドの留め具を示す底面図である。
【図４】図４は、本発明の一の実施の形態に係る温室用ハウスバンドの留め具を示す左側面図である。
【図５】図５は、プラスチックフィルム用止め材の構造を説明するための図である。
【図６】図６は、プラスチックフィルム用止め材の構造を説明するための図である。
【図７】図７は、プラスチックフィルム用止め材に対し、本発明の一の実施の形態に係る温室用ハウスバンドの留め具を装着した状態を示す図である。
【図８】従来の温室用ハウスバンドの留め具を示す斜視図である。
【図９】従来の温室用ハウスバンドの留め具の使用方法を説明するための図である。
【符号の説明】
１  留め具
１１  弓形線部
１１ａ  一端
１１ｂ  他端
１２  螺旋状屈曲部
１３  延長部
１３ａ  第１屈曲部
１３ｂ  第２屈曲部
１３ｃ  第３屈曲部
２  ベース部材
３  第１の押さえ部材
４  第２の押さえ部材
【図１】
0003967480.tif 000002
【図２】
0003967480.tif 000003
【図３】
0003967480.tif 000004
【図４】
0003967480.tif 000005
【図５】
0003967480.tif 000006
【図６】
0003967480.tif 000007
【図７】
0003967480.tif 000008
【図８】
0003967480.tif 000009
【図９】
0003967480.tif 000010